(57)【要約】【課題】  落下等の衝撃が加えられても不具合が発生しない、耐衝撃性に優れた記録テープカートリッジの提供を課題とする。【解決手段】  記録テープＴが巻装された単一のリール１８を回転可能に収容するケース１２と、ケース１２のコーナー部１２Ｃに隣接する前面１２Ａと側面１２Ｂに形成され、記録テープＴの端部に取り付けられたリーダー部材２２を引き出すための開口２０と、回動して開口２０を開閉するドア３０と、を備えた記録テープカートリッジ１０において、開口２０の閉塞時に、ドア３０がケース１２のコーナー部１２Ｃを上面１４Ａ及び／又は下面１６Ａを含んで被覆するように構成する。【選択図】      図１
2006134548.tif 000002
【特許請求の範囲】
【請求項１】
記録テープが巻装された単一のリールを回転可能に収容するケースと、
前記ケースのコーナー部付近に形成され、前記記録テープの端部に取り付けられたリーダー部材を引き出すための開口と、
を備えた記録テープカートリッジにおいて、
前記ケースのコーナー部を上面及び／又は下面を含んで被覆するカバー部材を回動可能に設けたことを特徴とする記録テープカートリッジ。
【請求項２】
前記コーナー部付近とは、コーナー部に隣接又は近傍の前面、もしくはコーナー部に隣接又は近傍の前面と側面、もしくはコーナー部に隣接又は近傍の前面と側面と少なくとも上下どちらかの面、を指すことを特徴とする請求項１に記載の記録テープカートリッジ。
【請求項３】
前記カバー部材が、樹脂、もしくは金属、もしくは樹脂と金属、で構成されていることを特徴とする請求項１又は請求項２に記載の記録テープカートリッジ。
【請求項４】
記録テープが巻装された単一のリールを回転可能に収容するケースと、
前記ケースのコーナー部付近に形成され、前記記録テープの端部に取り付けられたリーダー部材を引き出すための開口と、
前記開口を開閉するドアと、
を備えた記録テープカートリッジにおいて、
前記ドアは、前記開口閉塞時に、前記ケースのコーナー部を上面及び／又は下面を含んで被覆するように構成されていることを特徴とする記録テープカートリッジ。
【請求項５】
前記コーナー部付近とは、コーナー部に隣接又は近傍の前面、もしくはコーナー部に隣接又は近傍の前面と側面、もしくはコーナー部に隣接又は近傍の前面と側面と少なくとも上下どちらかの面、を指すことを特徴とする請求項４に記載の記録テープカートリッジ。
【請求項６】
前記ドアが、樹脂、もしくは金属、もしくは樹脂と金属、で構成されていることを特徴とする請求項４又は請求項５に記載の記録テープカートリッジ。
【請求項７】
前記ドアが、回動して前記開口を開閉するように構成されていることを特徴とする請求項４乃至請求項６の何れか１項に記載の記録テープカートリッジ。
【請求項８】
記録テープが巻装された単一のリールを回転可能に収容するケースと、
前記ケースのコーナー部に隣接する前面と側面に形成され、前記記録テープの端部に取り付けられたリーダー部材を引き出すための開口と、
回動して前記開口を開閉するドアと、
を備えた記録テープカートリッジにおいて、
前記ドアは、前記開口閉塞時に、前記ケースのコーナー部を上面及び／又は下面を含んで被覆するように構成されていることを特徴とする記録テープカートリッジ。
【請求項９】
前記ドアが、前記ケースの上面及び下面の前面及び側面に接するエッジを含む面を被覆するように構成されていることを特徴とする請求項８に記載の記録テープカートリッジ。
【請求項１０】
前記ドアが、樹脂、もしくは金属、もしくは樹脂と金属、で構成されていることを特徴とする請求項８又は請求項９に記載の記録テープカートリッジ。
【請求項１１】
前記ドアが、プレス、もしくはダイキャストによって成形される金属製であることを特徴とする請求項８又は請求項９に記載の記録テープカートリッジ
【請求項１２】
前記ドアが金属製であり、その板厚が０．３ｍｍ〜０．５ｍｍであることを特徴とする請求項８又は請求項９に記載の記録テープカートリッジ
【請求項１３】
前記ドアが、樹脂と金属で構成され、両者が、接着、もしくはかしめ、もしくは嵌め込み、もしくはインサート成形、もしくはアウトサート成形によって一体に接合されることを特徴とする請求項８又は請求項９に記載の記録テープカートリッジ。
【請求項１４】
前記ドアが、前記ケースに設けられた支軸を中心に回動して前記開口を開閉する構成であることを特徴とする請求項８乃至請求項１３の何れか１項に記載の記録テープカートリッジ。
【請求項１５】
前記ドアが、前記ケースに設けられた支軸を中心に回動して前記開口を開閉する構成であり、少なくとも該支軸に挿嵌する回転摺動部が樹脂で構成されていることを特徴とする請求項８乃至請求項１３の何れか１項に記載の記録テープカートリッジ。
【請求項１６】
前記ドアが、前記開口閉塞時に、前記ケースの上面及び下面及び側面よりも０．０５ｍｍ以上凹となるように構成されていることを特徴とする請求項８乃至請求項１５の何れか１項に記載の記録テープカートリッジ。
【請求項１７】
前記ドアの内側に、前記ケースの係合部に当接する当接部が設けられていることを特徴とする請求項８乃至請求項１６の何れか１項に記載の記録テープカートリッジ。
【請求項１８】
前記ドアの内側に、前記ケースの係合部に当接する当接部が設けられ、前記ドアが、前記ケースに設けられた支軸を中心に回動して前記開口を開閉する構成であり、該支軸に挿嵌する回転摺動部とその支軸とのクリアランスと、前記ドアの内面と前記ケースの上面及び下面及び側面とのクリアランスよりも、前記係合部と前記当接部とのクリアランスの方が小さいことを特徴とする請求項８乃至請求項１６の何れか１項に記載の記録テープカートリッジ。
【請求項１９】
前記ドアが、前記開口と同じ大きさの閉塞部材と、前記ケースの前面及び側面及び上面及び／又は下面を被覆するカバー部材と、で構成されていることを特徴とする請求項８乃至請求項１８の何れか１項に記載の記録テープカートリッジ。
【請求項２０】
前記ドアが、前記開口と同じ大きさの閉塞部材と、前記ケースの前面及び側面及び上面及び／又は下面を被覆するカバー部材と、で構成され、少なくとも該閉塞部材が樹脂で構成されていることを特徴とする請求項８乃至請求項１８の何れか１項に記載の記録テープカートリッジ。
【発明の詳細な説明】
【技術分野】
【０００１】
本発明は、主にコンピューター等の記録再生媒体として使用される磁気テープ等の記録テープが巻装された単一のリールをケース内に収容してなる記録テープカートリッジに関する。
【背景技術】
【０００２】
従来から、コンピューター等のデータ記録再生媒体として使用されている磁気テープ等の記録テープを単一のリールに巻装し、そのリールをケース内に収容してなる記録テープカートリッジが知られている。このような記録テープカートリッジは、略矩形箱状のケースを有している。例えば図１６で示すように、記録テープカートリッジ１００のケース１０２は、略トレイ状の上ケース１０４と下ケース１０６とが、互いの周壁１０４Ａ、１０６Ａを当接させた状態で接合されて構成されている。そして、そのケース１０２の内部に、記録テープＴを巻装した単一のリール１０８が回転可能に収容されている（例えば、特許文献１参照）。
【０００３】
また、記録テープＴの端部には、リーダーテープ等のリーダー部材１１０が固着されている（例えば、特許文献２参照）。このリーダー部材１１０は、ドライブ装置側の引出部材（図示省略）によって引き出されるが、その引出部材は、記録テープカートリッジ１００を装填する装填口の両側部に設けられることが多い。そのため、記録テープカートリッジ１００に形成する開口１１２は、ケース１０２のコーナー部１０２Ｃに形成されることが多い。また、そのコーナー部１０２Ｃに開口１１２が無くても、その開口１１２を開閉するドア１１４の支軸１１６等、記録テープカートリッジ１００の機能上重要な部位が、そのコーナー部１０２Ｃ付近に存在していることがある。
【特許文献１】米国特許第４５５５０７７号明細書
【特許文献２】米国特許第４５７２４６０号明細書
【発明の開示】
【発明が解決しようとする課題】
【０００４】
ところで、そのコーナー部１０２Ｃは、記録テープカートリッジ１００を落下させたときなど、衝撃を受けた場合に最も集中応力を受けやすい箇所である。コーナー部１０２Ｃに集中応力を受けると、そのコーナー部１０２Ｃには、局所的な永久変形（潰れる、曲がる、欠けるなど）が起き、ドライブ装置への装填不能、記録テープＴの引出不能、開口１１２を開閉するドア１１４の開閉不能等の問題が起きる。
【０００５】
また、永久変形が起きなくても、一時的な撓み変形、即ち上ケース１０４の周壁１０４Ａと下ケース１０６の周壁１０６Ａが互いに離間するような弾性変形が起きることにより、リーダーテープ等のリーダー部材１１０が、ケース１０２内の保持位置から外れたり、上ケース１０４の周壁１０４Ａと下ケース１０６の周壁１０６Ａの間に挟まれたり、ドア１１４が開いた場合には、ケース１０２外へ飛び出したりすることがあった。
【０００６】
また、一時的な撓み変形を防止するために、コーナー部１０２Ｃ付近の上ケース１０４の周壁１０４Ａと下ケース１０６の周壁１０６Ａを溶着したり、ビス止めしたりすることも考えられたが、この場合には、逆に、落下時に受けた衝撃力（エネルギー）の逃げ道がなくなるので、永久変形を助長する結果になっていた。
【０００７】
そこで、本発明は、落下等によって衝撃が加えられても変形等のトラブルが発生し難い、耐衝撃性に優れた記録テープカートリッジを得ることを目的とする。
【課題を解決するための手段】
【０００８】
上記の目的を達成するために、本発明に係る請求項１に記載の記録テープカートリッジは、記録テープが巻装された単一のリールを回転可能に収容するケースと、前記ケースのコーナー部付近に形成され、前記記録テープの端部に取り付けられたリーダー部材を引き出すための開口と、を備えた記録テープカートリッジにおいて、前記ケースのコーナー部を上面及び／又は下面を含んで被覆するカバー部材を回動可能に設けたことを特徴としている。
【０００９】
これによれば、開口が形成されたケースのコーナー部付近に落下等によって衝撃が加えられても、そのコーナー部は上面及び／又は下面を含んでカバー部材によって被覆されているので、破損などの永久変形は起きない。また、その衝撃によってコーナー部付近が一時的に撓み変形しようとしても、カバー部材はケースの上面及び下面を被覆しているので、その変形はカバー部材によって抑止される。したがって、リーダー部材がその保持位置から脱落するような不具合は起きない。
【００１０】
また、本発明に係る請求項４に記載の記録テープカートリッジは、記録テープが巻装された単一のリールを回転可能に収容するケースと、前記ケースのコーナー部付近に形成され、前記記録テープの端部に取り付けられたリーダー部材を引き出すための開口と、前記開口を開閉するドアと、を備えた記録テープカートリッジにおいて、前記ドアは、前記開口閉塞時に、前記ケースのコーナー部を上面及び／又は下面を含んで被覆するように構成されていることを特徴としている。
【００１１】
これによれば、開口が形成されたケースのコーナー部付近に落下等によって衝撃が加えられても、その開口を開閉するドアは、ケースのコーナー部を上面及び／又は下面を含んで被覆しているので、そのコーナー部付近に破損などの永久変形は起きない。また、その衝撃によってコーナー部付近が一時的に撓み変形しようとしても、ドアはケースの上面及び下面を被覆しているので、その変形はドアによって抑止される。したがって、リーダー部材がその保持位置から脱落するような不具合は起きない。
【００１２】
また、本発明に係る請求項８に記載の記録テープカートリッジは、記録テープが巻装された単一のリールを回転可能に収容するケースと、前記ケースのコーナー部に隣接する前面と側面に形成され、前記記録テープの端部に取り付けられたリーダー部材を引き出すための開口と、回動して前記開口を開閉するドアと、を備えた記録テープカートリッジにおいて、前記ドアは、前記開口閉塞時に、前記ケースのコーナー部を上面及び／又は下面を含んで被覆するように構成されていることを特徴としている。
【００１３】
これによれば、落下等によってケースのコーナー部に衝撃が加えられても、そのコーナー部に隣接する前面と側面に形成された開口を開閉するドアは、ケースのコーナー部を上面及び／又は下面を含んで被覆しているので、そのコーナー部付近に破損などの永久変形は起きない。また、その衝撃によってコーナー部が一時的に撓み変形しようとしても、ドアはケースの上面及び下面を被覆しているので、その変形はドアによって抑止される。したがって、リーダー部材がその保持位置から脱落するような不具合は起きない。
【発明の効果】
【００１４】
以上のように、本発明によれば、落下等によって衝撃が加えられても変形等のトラブルが発生し難い、耐衝撃性に優れた記録テープカートリッジを提供することができる。
【発明を実施するための最良の形態】
【００１５】
以下、本発明の実施の形態を図面に示す実施例を基に詳細に説明する。なお、説明の便宜上、記録テープカートリッジのドライブ装置への装填方向を矢印Ａで表し、それを前方向とする。また、矢印Ｂを左方向とし、これらを基準に前後・左右・上下の表現をする。
【００１６】
図１で示すように、記録テープカートリッジ１０は、略矩形箱状のケース１２を有している。このケース１２は、合成樹脂製の上ケース１４と下ケース１６とが、互いの周壁１４Ｂ、１６Ｂを当接させた状態で超音波溶着又はねじ止め等により接合されて構成されている。なお、上ケース１４の上面１４Ａにはラベルエリア４６が形成されている。
【００１７】
また、図２で示すように、ケース１２の内部には単一のリール１８が回動可能に収容されている。リール１８には、情報記録再生媒体としての磁気テープ等の記録テープＴが巻装されている。また、リール１８の下面にはリールギア１９が環状に形成されており、下ケース１６に穿設されたギア開口４４から露出するようになっている（図１０（Ｂ）等参照）。
【００１８】
記録テープカートリッジ１０の左前方側のコーナー部１２Ｃ付近には、リール１８に巻装された記録テープＴを外部に引き出すための開口２０が形成されている。すなわち、図３でも示すように、コーナー部１２Ｃに隣接する前面１２Ａと左側面１２Ｂとに跨って開口２０が形成され、その開口２０から記録テープＴの端部に固着されたリーダーテープ２２が引き出されるようになっている。
【００１９】
ここで、本発明におけるコーナー部とは、略矩形箱状ケース１２の周壁１４Ｂ、１６Ｂにおいて、平面視で略直角又は鈍角に交わる稜線部分を指す。したがって、この場合のコーナー部１２Ｃとは、前面１２Ａと左側面１２Ｂとが平面視で略直角に交わっている稜線部分を指している。
【００２０】
また、開口２０が形成されるコーナー部１２Ｃ付近とは、コーナー部１２Ｃや、コーナー部１２Ｃに隣接又は近傍の前面１２Ａ及び／又は左側面１２Ｂ、もしくはコーナー部１２Ｃに隣接又は近傍の前面１２Ａ及び／又は左側面１２Ｂと少なくとも上面１４Ａ、下面１６Ａのどちらか一方を指す。なお、開口２０は、右前方側のコーナー部１２Ｄ付近に設けられる場合もある。
【００２１】
リーダーテープ２２は、ドライブ装置側の引出部材（図示省略）が記録テープＴを引き出すために係合する被引出部材であり、その先端に引出部材が係合する係合孔２２Ａが穿設されている。また、リーダーテープ２２の先端近傍には、図２、図３で示すように、上下方向に向かって張り出す張出部２２Ｂが形成されている。この張出部２２Ｂが、開口２０の内側で、かつ左側面１２Ｂ側の上ケース１４と下ケース１６の内面に形成された係合溝部２４に係止されることにより、リーダーテープ２２がケース１２内に保持される。
【００２２】
また、その開口２０は、記録テープカートリッジ１０の不使用時には、ドア３０によって閉塞される。このドア３０は、開口２０と同じ形状及び大きさになるように、平面視略「Ｌ」字状に形成された閉塞部材３２と（図４参照）、その閉塞部材３２に一体に接合され、コーナー部１２Ｃと、コーナー部１２Ｃに隣接又は近傍のケース１２の前面１２Ａ、左側面１２Ｂ、上面１４Ａ、下面１６Ａを外方から被覆するカバー部材３４とで構成されている。
【００２３】
このように、カバー部材３４が、コーナー部１２Ｃを上面１４Ａ及び下面１６Ａを含んで被覆すると、落下衝撃を受けても、その箇所における破損等の永久変形が防止される。更に、このカバー部材３４は、コーナー部１２Ｃを含み、ケース１２の上面１４Ａ及び下面１６Ａを挟むように被覆しているので、落下衝撃を受けても、その箇所における一時的な撓み変形、即ち上ケース１４の周壁１４Ｂと下ケース１６の周壁１６Ｂが互いに離間する撓み変形が抑止される。つまり、このカバー部材３４は、開口２０を閉塞するためのものではなく、コーナー部１２Ｃの補強をするためのものである。
【００２４】
なお、閉塞部材３２とカバー部材３４はそれぞれ樹脂で成形してもよいし、ＳＵＳ等の金属で成形してもよい。金属で成形する場合は、プレス（深絞りを含む）、ダイキャスト等で成形すればよく、その厚さは０．３ｍｍ〜０．５ｍｍであることが望ましい。また、閉塞部材３２とカバー部材３４のどちらか一方を樹脂、他方を金属で成形してもよい。一方を樹脂、他方を金属で成形する場合、両者の接合方法は、接着、かしめ、嵌め込み、インサート成形、アウトサート成形等、どのような接合方法でもよい。
【００２５】
また、図３で示すように、そのドア３０の回動支点となる支軸２６が、上ケース１４及び下ケース１６にそれぞれ突設されている。この支軸２６は、上ケース１４側が円筒状のボス２６Ａになっており、下ケース１６側が円柱状のボス２６Ｂになっている。そして、下ケース１６側のボス２６Ｂの先端（上端）が、上ケース１４側のボス２６Ａに嵌入することで、支軸２６が構成されるようになっている。したがって、ボス２６Ｂの径がボス２６Ａの径よりも若干小さくなっている。
【００２６】
また、ドア３０の閉塞部材３２の右端部近傍には、その支軸２６に遊嵌される回転摺動部３６が設けられている。この回転摺動部３６は、閉塞部材３２の内面側の上下両端部と中途部とからそれぞれ延設され、各回転摺動部３６に貫通孔３６Ａが穿設されている（図６（Ａ）参照）。したがって、この貫通孔３６Ａに支軸２６が挿通されることにより、ドア３０が回動可能に支持される。
【００２７】
また、上端部の回転摺動部３６の上面と、下端部の回転摺動部３６の下面には、それぞれ貫通孔３６Ａ周りに環状凸部３７が形成されている。そして、この環状凸部３７が、それぞれ上ケース１４と下ケース１６に接触することにより、閉塞部材３２の上端縁と上ケース１４との間、及び閉塞部材３２の下端縁と下ケース１６との間に、それぞれ０．３ｍｍ〜０．５ｍｍ程度の隙間が形成されるようにしている。
【００２８】
このような構成によれば、上ケース１４及び下ケース１６と接触するのは、環状凸部３７だけとなり、閉塞部材３２の上下両端縁は、それぞれ上ケース１４と下ケース１６に対し、常に非接触状態となるので、ドア３０（閉塞部材３２）の上ケース１４及び下ケース１６に対する摺動抵抗が低減される。なお、閉塞部材３２とカバー部材３４が、樹脂と金属で成形される場合、少なくともこの回転摺動部３６及び環状凸部３７は、ＰＯＭ等のオレフィン系樹脂で成形することが望ましい。これによれば、ドア３０（閉塞部材３２）の上ケース１４及び下ケース１６に対する摺動抵抗を更に低減できるとともに、支軸２６に対する摺動抵抗も低減できる。
【００２９】
また、この支軸２６には、図４で示すように、ドア３０を常時開口２０の閉塞方向へ付勢するトーションばね２８の巻回部２８Ａが挿嵌される。すなわち、このトーションばね２８の巻回部２８Ａは、下端部の回転摺動部３６と中途部の回転摺動部３６の間に保持された状態で、径が細い方のボス２６Ｂに挿嵌される。そして、トーションばね２８の一方の端部２８Ｂは、ケース１２のビスボス２５（この場合は下ケース１６に突設されたビスボス）に、他方の端部２８Ｃは、閉塞部材３２の右後端部の内面にそれぞれ係止される。
【００３０】
このように、ビスボス２５が支軸２６とは独立して設けられ、かつ、その支軸２６の近傍に配置されていると、落下時の衝撃力はビスボス２５で受け止められるので、支軸２６にはその衝撃力が伝達され難い。したがって、支軸２６の変形や破損等が防止される。また、トーションばね２８の巻回部２８Ａが、回転摺動部３６の間に配置されると、その回転摺動部３６が、上記したＰＯＭ等のオレフィン系樹脂で成形された場合には、ＰＣ等の樹脂で成形されるケース１２よりも削られ難い。つまり、トーションばね２８の巻回部２８Ａが、ドア３０の回動によって摺動しても、摩耗粉等が発生し難い。したがって、記録テープＴへの悪影響がない。
【００３１】
以上、何れにしても、このような構成により、ドア３０を開放させるときには、ドライブ装置側の開閉部材（図示省略）が、前面１２Ａ側から相対的に進入し、閉塞部材３２の右端部を後方に向かって押圧する。すると、ドア３０は、支軸２６を中心にトーションばね２８の付勢力に抗して、図４で示すように、平面視で時計回りに回動し、開口２０を開放する。
【００３２】
また、図２乃至図５で示すように、ケース１２のコーナー部１２Ｃ付近、即ち上面１４Ａ、下面１６Ａ、前面１２Ａ、左側面１２Ｂには、カバー部材３４の形状に合致した凹面部４０が形成されている。この凹面部４０の深さＤは、ドア３０が開口２０を閉塞したときに、そのカバー部材３４が少なくとも上面１４Ａ及び下面１６Ａ及び左側面１２ＢよりもＬ＝０．０５ｍｍ以上低くなるように（凹になるように）形成されている。このような構成にすると、記録テープカートリッジ１０をドライブ装置へ装填するときに、そのカバー部材３４が装填口に引っ掛かるような不具合が生じない。
【００３３】
また、開口２０の閉塞時にカバー部材３４の前面１２Ａに対向する内面で、かつ、その上端及び下端には、一対の当接部３８が突設されている。この当接部３８は、開口２０の閉塞時、係合溝部２４に隣接するケース１２の内面に突設された係合凹部４２に当接するようになっている。
【００３４】
そして、図４（Ａ）、図５（Ｂ）、図６で示すように、カバー部材３４と凹面部４０、即ちカバー部材３４とケース１２の上面１４Ａ及び下面１６Ａ及び左側面１２ＢとのクリアランスＳ１と、支軸２６と貫通孔３６ＡとのクリアランスＳ２と、当接部３８と係合凹部４２とのクリアランスＳ３の関係は、Ｓ１、Ｓ２＞Ｓ３となっている。
【００３５】
したがって、落下等により、コーナー部１２Ｃ付近を被覆するカバー部材３４に衝撃が加えられた場合には、まず、当接部３８が係合凹部４２に強固に当接することによって、その衝撃力がある程度受け止められる。このため、カバー部材３４と凹面部４０の間、及び支軸２６と貫通孔３６Ａの間に加えられる衝撃力を低減することができ、それらの破損や変形等を防止することができる。
【００３６】
なお、図１乃至図５で示すカバー部材３４は、コーナー部１２Ｃを含むケース１２の前面１２Ａ、左側面１２Ｂ、上面１４Ａ、下面１６Ａを広く被覆するようになっているが、カバー部材３４は、図示のものに限定されるものではない。このカバー部材３４は、例えば図７（Ａ）で示すように、少なくともコーナー部１２Ｃと、上面１４Ａ及び下面１６Ａの前面１２Ａ及び左側面１２Ｂとの境界部分であるエッジ（稜線部分）１２Ｅを含む面を被覆できるような大きさに形成されていればよい。
【００３７】
また、カバー部材３４は、図７（Ｂ）で示すように、コーナー部１２Ｃと、コーナー部１２Ｃに接する上面１４Ａのみを被覆できるような大きさに形成されたり、図７（Ｃ）で示すように、コーナー部１２Ｃと、コーナー部１２Ｃに接する下面１６Ａのみを被覆できるような大きさに形成されていてもよい。ただし、カバー部材３４が、ケース１２を上下方向から挟み込むように、上面１４Ａ及び下面１６Ａの両方を被覆する構成であると、永久変形を防止できるだけではなく、一時的な撓み変形も抑止できるので望ましい。
【００３８】
以上のような構成の記録テープカートリッジ１０において、次に、そのドア３０の作用について説明をする。記録テープカートリッジ１０は、不使用時には、ドア３０が開口２０を閉塞している。すなわち、閉塞部材３２が開口２０を閉塞し、カバー部材３４が凹面部４０に嵌合されて、それを被覆している。
【００３９】
このように、カバー部材３４が、開口２０が形成されているコーナー部１２Ｃを上下方向から押さえていると（上面１４Ａ及び下面１６Ａから挟み込んでいると）、落下等によって、そのコーナー部１２Ｃ付近に衝撃が加えられても、破損等の永久変形を防止できるとともに、上ケース１４の周壁１４Ｂと下ケース１６の周壁１６Ｂが互いに離間するような一時的な撓み変形をも抑止することができる。したがって、リーダーテープ２２が係合溝部２４（保持位置）から脱落するような不具合は起きない。
【００４０】
また、当接部３８と係合凹部４２とのクリアランスＳ３が、カバー部材３４と凹面部４０とのクリアランスＳ１、及び支軸２６と貫通孔３６ＡとのクリアランスＳ２よりも小さいことから、落下等により加えられた衝撃力は、当接部３８と係合凹部４２とで一番先に受け止められる。したがって、その衝撃力が、例えば支軸２６に直接伝達されないようにできるので、その支軸２６の破損や変形等を防止することができる。更に、その支軸２６の近傍にはビスボス２５が配置されているので、落下時の衝撃力は、そのビスボス２５でも受け止められる。したがって、より一層支軸２６の破損や変形を防止することができる。
【００４１】
また、カバー部材３４が凹面部４０を被覆しているとき（開口２０が閉塞されているとき）、そのカバー部材３４は、上面１４Ａ及び下面１６Ａ及び左側面１２Ｂよりも０．０５ｍｍ以上低くなっている（凹になっている）。したがって、記録テープカートリッジ１０をドライブ装置へ装填するときに、そのカバー部材３４が装填口に引っ掛かるような不具合は起きない。
【００４２】
また、記録テープカートリッジ１０がドライブ装置に装填されて、ドア３０が回動するとき（開口２０が開閉されるとき）、閉塞部材３２とケース１２（上ケース１４及び下ケース１６）との間には、環状凸部３７によって微少な隙間が形成されているので、そのドア３０（閉塞部材３２）のケース１２に対する摺動抵抗が少なくて済む。更に、そのドア３０（閉塞部材３２）において、少なくとも回転摺動部３６及び環状凸部３７が、ＰＯＭ等のオレフィン系樹脂で成形されていれば、ＰＣ等の樹脂で成形されているケース１２（支軸２６を含む）に対して、より一層摺動抵抗を少なくすることができる。
【００４３】
以上、何れにしても、開口２０を閉塞する閉塞部材３２とは別に、コーナー部１２Ｃを上面１４Ａ及び下面１６Ａを含んで被覆可能なカバー部材３４を備えたドア３０としたので、落下等により、そのコーナー部１２Ｃ付近に衝撃が加えられても、永久変形や一時的な撓み変形は起きない。つまり、このカバー部材３４を設けることにより、耐衝撃性に優れた記録テープカートリッジ１０を提供することができる。なお、このカバー部材３４は、開口２０が設けられているコーナー部１２Ｃだけではなく、他のコーナー部、例えば開口２０が設けられていないコーナー部１２Ｄ等にも設けても構わないものである。
【００４４】
次に、カバー部材３４を設けずに、永久変形や撓み変形を防止する別の実施例について説明する。なお、上記と同等なものには同じ符号を付して、その説明は省略する。図８で示すように、開口２０付近の上ケース１４及び／又は下ケース１６には、薄板状の補強部材５０が一体的に設けられている。
【００４５】
すなわち、コーナー部１２Ｃに接する上ケース１４の上面１４Ａ及び／又は下ケース１６の下面１６Ａに、前面１２Ａ及び左側面１２Ｂに跨る所定深さの凹面部４８を形成し、その凹面部４８に金属製の補強部材５０を接合している。このような構成にすると、落下等により、そのコーナー部１２Ｃ付近に衝撃が加えられた場合に、破損等の永久変形を防止することができる。
【００４６】
なお、このときの接合方法は、かしめ、接着、嵌め込み、インサート成形等、どのような接合方法でもよい。また、金属製の補強部材５０は、プレス（深絞りを含む）又はダイキャストにより成形される。更に、この金属の材質としては、ＳＵＳなどの硬くて錆び難い金属であることが好ましい。また、この補強部材５０を金属と樹脂とで構成してもよい。
【００４７】
また、この補強部材５０を上面１４Ａ及び下面１６Ａに設ける場合、図９で示すように、開口２０及びドア３０（閉塞部材３２）の回動を妨げない部位において、その上下の補強部材５０を連結部５０Ａによって一体に連結してもよい。このような形状にすると、落下等により、そのコーナー部１２Ｃに衝撃が加えられた場合に、破損等の永久変形を防止できるとともに、互いの周壁１４Ｂ、１６Ｂが一時的に離間するような撓み変形も抑止することができる。
【００４８】
なお、連結部５０Ａを設ける箇所は、前面１２Ａ側のみ、あるいは左側面１２Ｂ側のみでもよいが、前面１２Ａ側と左側面１２Ｂ側の両方に設けた方が、より一層撓み変形を抑止できるので好ましい。また、補強部材５０を設けた箇所も、上記したカバー部材３４と同様に、上面１４Ａ、下面１６Ａ、左側面１２ＢよりＬ＝０．０５ｍｍ以上低くなっている（凹となっている）ことが好ましい。
【００４９】
更に、この補強部材５０は、開口２０付近（コーナー部１２Ｃ付近）に設けるものに限定されるものではないが、そのコーナー部１２Ｃを含め、各コーナー部に接する上面１４Ａ及び／又は下面１６Ａに設けることが望ましい。また、この補強部材５０は、ケース１２の外面側ではなく、ケース１２の内面側に設けるようにしてもよい。
【００５０】
その他、記録テープカートリッジ１０においては、前後を反対にして積む（逆積みする）ことができない構成にすることが好ましい。逆積みを防止する構成としては、例えば図１０で示すように、下面１６Ａに、前方側の間隔が狭く、後方側の間隔が広い、一対の細長いスタッキングリブ５２を設け、上面１４Ａに、そのスタッキングリブ５２が嵌合するスタッキング凹部５４を形成することが考えられる。この場合は、スタッキング凹部５４がラベルエリア４６を兼用するように構成してもよいし、別々になるように構成してもよい。
【００５１】
更に、逆積みできないようにするスタッキングリブとしては、次のようなものが考えられる。例えば図１１で示すように、下面１６Ａに所定の大きさのスタッキングリブ５６を複数、例えば４つ設け、その４つのスタッキングリブ５６の位置を前方側と後方側とでは異なる位置にする。つまり、前方側のスタッキングリブ５６同士の間隔Ｗ１を狭くし、後方側のスタッキングリブ５６同士の間隔Ｗ２を広くする。そして、これに合致するスタッキング凹部５８を同数、上面１４Ａに形成する。このような構成にしても逆積みが防止される。なお、この場合、スタッキング凹部５８がラベルエリア４６を兼用することはできないので、ラベルエリア４６は、図示のように、スタッキング凹部５８の間等に適宜設ければよい。また、スタッキングリブ５６及びスタッキング凹部５８の数量は、３つ以下でもよいが、安定性を考慮すると、４つ以上の方が好ましい。
【００５２】
また、例えば図１２で示すように、下面１６Ａに平面視台形状をなすスタッキングリブ６０を複数、例えば４つ設けるようにしてもよい。この場合は、前方側と後方側とでその位置をずらす必要がない。つまり、前方側のスタッキングリブ６０同士の間隔Ｗ３と、後方側のスタッキングリブ６０同士の間隔Ｗ４を同一にしても構わない。そして、これに合致するスタッキング凹部６２を同数、上面１４Ａに形成する。このような構成にしても逆積みが防止される。なお、この場合も、スタッキング凹部６２がラベルエリア４６を兼用することはできないので、ラベルエリア４６は、図示のように、スタッキング凹部６２の間等に適宜設ければよい。また、スタッキングリブ６０及びスタッキング凹部６２の数量は、３つ以下でもよいが、安定性を考慮すると、４つ以上の方が好ましい。
【００５３】
また、例えば図１３で示すように、下面１６Ａの前端に所定間隔を隔てて一対のスタッキングリブ６４を設けるとともに、下面１６Ａの後方側に略「Ｖ」字状又は略「Ｕ」字状のスタッキングリブ６５を設けるようにしてもよい。この後方側に設けるスタッキングリブ６５は、その端部が後方側の各コーナー部近傍にそれぞれ位置し、中央の曲折された部分がギア開口４４に近接するように位置している。そして、これに合致するスタッキング凹部６６、６７を上面１４Ａに形成する。このような構成にしても逆積みが防止される。なお、この場合も、スタッキング凹部６６、６７がラベルエリア４６を兼用することはできないので、ラベルエリア４６は、図示のように、スタッキング凹部６６とスタッキング凹部６７の間等に適宜設ければよい。
【００５４】
また、例えば図１４で示すように、下面１６Ａの前端及び後端に長さの異なる細長いスタッキングリブ６８を設けるようにしてもよい。このスタッキングリブ６８は、前端側の長さＷ５よりも、後端側の長さＷ６の方が長く形成されているが、前後逆でも構わない。そして、これに合致するスタッキング凹部７０を上面１４Ａに形成する。このような構成にしても逆積みが防止される。なお、この場合も、スタッキング凹部７０がラベルエリア４６を兼用することはできないので、ラベルエリア４６は、図示のように、スタッキング凹部７０の間等に適宜設ければよい。
【００５５】
また、例えば図１５で示すように、下面１６Ａの左側端及び右側端に長さの異なる細長いスタッキングリブ７２を設けるようにしてもよい。このスタッキングリブ７２は、左側端側の長さＷ７よりも、右側端側の長さＷ８の方が短く形成されているが、左右逆でも構わない。そして、これに合致するスタッキング凹部７４を上面１４Ａに形成する。このような構成にしても逆積みが防止される。なお、この場合も、スタッキング凹部７４がラベルエリア４６を兼用することはできないので、ラベルエリア４６は、図示のように、スタッキング凹部７４の間等に適宜設ければよい。
【００５６】
以上、何れにしても、スタッキングリブ５２、５６、６０、６４、６５、６８、７２及びスタッキング凹部５４、５８、６２、６６、６７、７０、７４は、互いに逆積み不能な形状になっていれば、どのような形状に構成しても構わない。
【図面の簡単な説明】
【００５７】
【図１】記録テープカートリッジの開口閉塞時の概略斜視図
【図２】記録テープカートリッジの開口開放時の概略斜視図
【図３】記録テープカートリッジのコーナー部を示す概略斜視図
【図４】（Ａ）開口閉塞時のコーナー部を示す概略平面図、（Ｂ）開口開放時のコーナー部を示す概略平面図
【図５】（Ａ）開口閉塞時のコーナー部を示す概略側面図、（Ｂ）開口開放時のコーナー部を示す概略側面図
【図６】（Ａ）支軸と回転摺動部を示す概略平面図、（Ｂ）当接部と係合凹部を示す概略平面図
【図７】（Ａ）カバー部材の変形例を示す概略斜視図、（Ｂ）カバー部材の変形例を示す概略斜視図、（Ｃ）カバー部材の変形例を示す概略斜視図
【図８】記録テープカートリッジのコーナー部の変形例を示す概略斜視図
【図９】記録テープカートリッジのコーナー部の変形例を示す概略斜視図
【図１０】（Ａ）記録テープカートリッジの概略平面図、（Ｂ）記録テープカートリッジの概略底面図
【図１１】（Ａ）記録テープカートリッジの概略平面図、（Ｂ）記録テープカートリッジの概略底面図
【図１２】（Ａ）記録テープカートリッジの概略平面図、（Ｂ）記録テープカートリッジの概略底面図
【図１３】（Ａ）記録テープカートリッジの概略平面図、（Ｂ）記録テープカートリッジの概略底面図
【図１４】（Ａ）記録テープカートリッジの概略平面図、（Ｂ）記録テープカートリッジの概略底面図
【図１５】（Ａ）記録テープカートリッジの概略平面図、（Ｂ）記録テープカートリッジの概略底面図
【図１６】（Ａ）記録テープカートリッジの概略斜視図、（Ｂ）記録テープカートリッジのコーナー部を示す概略斜視図
【符号の説明】
【００５８】
１０  記録テープカートリッジ
１２  ケース
１２Ａ  前面
１２Ｂ  左側面
１２Ｃ  コーナー部
１４  上ケース
１４Ａ  上面
１６  下ケース
１６Ａ  下面
１８  リール
２０  開口
２２  リーダーテープ（リーダー部材）
２６  支軸
３０  ドア
３２  閉塞部材
３４  カバー部材
３６  回転摺動部
３８  当接部
４０  凹面部
４２  係合凹部
【図１】
2006134548.tif 000003
【図２】
2006134548.tif 000004
【図３】
2006134548.tif 000005
【図４】
2006134548.tif 000006
【図５】
2006134548.tif 000007
【図６】
2006134548.tif 000008
【図７】
2006134548.tif 000009
【図８】
2006134548.tif 000010
【図９】
2006134548.tif 000011
【図１０】
2006134548.tif 000012
【図１１】
2006134548.tif 000013
【図１２】
2006134548.tif 000014
【図１３】
2006134548.tif 000015
【図１４】
2006134548.tif 000016
【図１５】
2006134548.tif 000017
【図１６】
2006134548.tif 000018